(57)【要約】【課題】組立性が容易で、デザイン性を損なわず、また、操作性の良い、不具合のないスライドレバー構造を搭載する電子機器を提供する【解決手段】軸が回転式、かつ、中央自己復帰構造を持つスイッチと、スイッチを実装する回路基板と、回路基板の土台となるシャーシと、スイッチの軸を挟み込む挟持リブを有するスイッチ切替用のスライドレバーと、スライドレバー近傍の外装を構成するカバー部材と、スライドレバーをカバー部材に保持する為の保持部材と、を有する電子機器において、スライドレバーは突起を有し、スライドレバーが中央位置以外の位置において、突起がシャーシの裏側に潜り込むこと、かつ、スライドレバーが中央位置において、突起がシャーシの裏側に潜り込まないことを特徴とする。【選択図】  図４
2015204241.tif 000002
【特許請求の範囲】
【請求項１】
軸９６が回転式、かつ、中央自己復帰構造を持つスイッチ９５と、
前記スイッチを実装する回路基板９１と、
前記回路基板の土台となるシャーシ９０と、
前記スイッチの軸を挟み込む挟持リブ１０１を有するスイッチ切替用のスライドレバー１００と、
前記スライドレバー近傍の外装を構成するカバー部材４１と、
前記スライドレバー１００をカバー部材４１に保持する為の保持部材１１３と、
を有する電子機器において、
前記スライドレバー１００は突起１０２を有し、
前記スライドレバー１００が中央位置以外の位置において、突起１０２がシャーシ９０の裏側９０ａに潜り込むこと、かつ、前記スライドレバー１００が中央位置において、突起１０２がシャーシ９０の裏側９０ａに潜り込まないこと、
を特徴とする電子機器。
【請求項２】
前記スライドレバー１００のクリック凹部１０３ａ〜ｃと、
クリック感を出すための、ボール１１１と、
前記ボール１１１に付勢力を与え前記ボール１１１をスライドレバー１００のクリック凹部１０３ａ〜ｃに押し付ける為のバネ１１２と、
を有する電子機器において、
中央に位置するクリック凹部１０３ｂの傾斜面は、中央以外に位置するクリック凹部１０３ａ、１０３ｃの傾斜面よりも大きな角度であること、
を特徴とする請求項１に記載の電子機器。
【請求項３】
前記スライドレバー１００のクリック凹部１０３ａ〜ｃと、
クリック感を出すための、ボール１１１と、
前記ボール１１１に付勢力を与え前記ボール１１１をスライドレバー１００のクリック凹部１０３ａ〜ｃに押し付ける為のバネ１１２と、
を有する電子機器において、
中央に位置するクリック凹部１０３ｂは、中央以外に位置するクリック凹部１０３ａ、１０３ｃよりも深い凹量であること、
を特徴とする請求項１又は請求項２に記載の電子機器。
【発明の詳細な説明】
【技術分野】
【０００１】
本発明は、デジタルカメラなどのスライドレバー機構を搭載する電子機器に関する。
【背景技術】
【０００２】
デジタルカメラなどの電子機器において、モードを切り替えるための選択スイッチとして、スライドレバー機構を使用する場合がある。モードの切り替え数が多い場合には、ダイヤル機構を使用し、モードの切り替え数が少ない２〜３ポジション場合には、スライドレバー機構を使用することが多い。
【０００３】
スライドレバー機構のモードの切り替え方法としては、カメラ本体側に配置されるスイッチの軸を外装カバー側に配置されるスライドレバーの挟持リブが挟み込み、スライドレバーをスライドさせると、スイッチの軸がスライドして電気信号が切り替えられ、モードが切り替えられる。このように、スイッチがカメラ本体側に配置され、スライドレバーが外装カバー側に配置されることがある。本体側のスイッチの軸の位置と、スライドレバーの位置が異なる状態で、外装カバーを組み付けると、本体側のスイッチを壊してしまう恐れがある。この時の解決手段として、様々な方法が知られているが、例えば、スライドレバーの挟持リブ部に弾性を持たせて、スイッチの破壊を回避する方法が知られている（特許文献１参照）。
【先行技術文献】
【特許文献】
【０００４】
【特許文献１】特開２００６−１２０３３３号公報
【発明の概要】
【発明が解決しようとする課題】
【０００５】
しかしながら、上記の特許文献１に示されるスライドレバー機構の場合には、スイッチ側に操作感を分かりやすくするためのクリック機構が設けられている。このスライドレバー機構の場合には、スイッチの仕様によって、スライドレバーのスライド量やクリックによる操作感が決まってしまい、スライドレバー側で、ストロークやクリック感を調整して操作感を良くすることは困難であるという問題があった。
【０００６】
これを回避するための方法として、クリック構造をもたない回転式のスイッチを使用する方法があり、図５を用いて説明する。図５は、従来方式によるスライドレバー機構のスイッチ９５とスライドレバー３００のみを示したものである。図５（ａ）は、スライドレバー中央位置における斜視図である。図５（ｂ）〜（ｄ）はスイッチの各位置における図で、図５（ｂ）は上側位置、図５（ｃ）は中央位置、図５（ｄ）は下側位置を示す。
【０００７】
図５における回転式スイッチ９５は、軸９６が回転移動する構造である。スライドレバー３００は、スイッチ９５の軸９６を操作するための挟持リブ３０１が２つ設けられている。この２つの挟持リブ３０１の間にスイッチの軸９６を挟み込むことで、操作可能となる。スイッチ９５は、内部にクリック機構が設けられていない。よって、スライドレバー側に、クリック機構を設けることが必要となる。つまり、スライドレバー側に、ストロークの調整やクリック感の調整ができるような機構を持たせることが可能となった。
【０００８】
また、スイッチ９５は組立性を損なわないようにするために、スイッチの軸９６は自己中央復帰の構造となってる。これによって、スライドレバー部を組み立てる前のスイッチの軸の位置は、常に中央位置にいることになる。つまり、スライドレバー３００を中央位置に保持することができれば、組立時にスイッチを壊してしまうという問題は発生しない。
【０００９】
しかしながら、ユーザがデジタルカメラを落としたり、ぶつけたりしてしまった際に、外装カバーが少し開いてしまうこともある。その際、外装カバーが開くと外装カバー側に取り付けられているスライドレバーも外装カバーと一緒に移動して、スライドレバーがスイッチの軸から外れてしまうことがある。スライドレバーが中央に位置する場合は、カバーを元に戻せば元通りにすることができる。しかし、スライドレバーが上側位置や下側位置の中央以外に位置する場合は、スイッチの軸が自己中央復帰する構造により、スライドレバーが外れると、スイッチの軸は中央位置へ移動してしまう。開いてしまった外装カバーを元に戻しても、意図していない位置に軸が移動してしまったり、踏みつけてスイッチを壊してしまったりするという第２の問題がある。
【００１０】
また、カバーが開かないようにねじ等で固定するという方法も考えられるが、カメラ本体の位置によっては、ねじで固定することで外観のデザイン性を損なう恐れもある。
【００１１】
本発明は、このような問題を鑑みて、組立性が容易で、デザイン性を損なわず、また、操作性の良い、スライドレバー構造を搭載する電子機器を提供するものである。
【課題を解決するための手段】
【００１２】
本発明に係る電子機器の構成は、
軸が回転式、かつ、中央自己復帰構造を持つスイッチと、スイッチを実装する回路基板と、回路基板の土台となるシャーシと、スイッチの軸を挟み込む挟持リブを有するスイッチ切替用のスライドレバーと、スライドレバー近傍の外装を構成するカバー部材と、スライドレバーをカバー部材に保持する為の保持部材と、を有する電子機器において、スライドレバーは突起を有し、スライドレバーが中央位置以外の位置において、突起がシャーシの裏側に潜り込むこと、かつ、スライドレバーが中央位置において、突起がシャーシの裏側に潜り込まないことを特徴とする。
【発明の効果】
【００１３】
本発明によれば、組立性が容易で、デザイン性を損なわず、また、操作性の良い、スライドレバー構造を搭載する電子機器を提供することが可能となる。
【図面の簡単な説明】
【００１４】
【図１】本発明の第１の実施形態であるデジタルカメラの背面斜視図および正面斜視図
【図２】本発明の第１の実施形態であるデジタルカメラの分解斜視図
【図３】本発明の第１の実施形態であるスライドレバー周囲の分解斜視図
【図４】本発明の第１の実施形態である背面図および断面詳細図
【図５】従来方式のスライドレバーと回転式スイッチ
【発明を実施するための形態】
【００１５】
以下、本発明に関する実施形態について図面を参照して詳細に説明する。
＜第１の実施形態＞
図１は、本発明の実施形態であるデジタルカメラ１の斜視図である。図１（ａ）は、背面斜視図で、図１（ｂ）は、正面斜視図である。デジタルカメラ１の上面には、電源ＯＮ／ＯＦＦ操作をする為の電源ボタン１２、撮影時に撮影開始を指示する為のレリーズボタン１４、ズーム操作を行う為のズームレバー１３、その他、スピーカー１５、上下可動式のストロボ１０などが配置されている。
【００１６】
デジタルカメラ１の背面には、撮影画像を表示する液晶パネルの表示装置２１が配置されている。液晶パネルの表示装置２１の右側には、操作ボタン２０ａ〜ｅ、十字方向操作ボタン１９、ＬＥＤ表示部２３が配置されている。これらのボタンを操作することによって、撮影画像を液晶表示パネルの表示装置２１に表示したり、様々な設定を行ったりすることができる。また、これら操作ボタンの上側には、モードを切り替える為のスライドレバー１００、スライドレバー１００を覆っているカバー部材４１、が設けられている。スライドレバー１００は、上、中、下の３箇所の位置に切り替えることによって、３つのモードが設定可能である。これらのボタンやスライドレバー、表示装置の周囲を形成している外装カバーは、リアカバー２２である。
【００１７】
デジタルカメラ１のグリップ側側面には、外部端子コネクタを覆い隠す為のコネクタカバー１８が配置されている。コネクタカバー１８の上側には、リストストラップを通す為のストラップ取付部１７が配置されている。ストラップ取付部１７は、グリップ側側面を覆っているサイドカバー１６と一体に形成されている。
【００１８】
デジタルカメラ１の正面には、被写体の画像を取り込む為のレンズユニット３４が配置されている。その周囲を取り囲むように、金属製のフロントリング３３が配置されている。レンズユニット３４の左側には、握りやすくするためのフロントグリップ３２が配置されている。また、レンズユニット３４の左上側には、ＬＥＤ補助光３７、マイク３８が配置されている。これらの周囲を形成している外装カバーは、フロントカバー３１である。
【００１９】
デジタルカメラ１のストロボ側側面には、ストロボを上げるためのストロボレバー３６が配置されている。その周囲を形成している外装カバーは、サイドカバー３５である。
【００２０】
次に、図２は、デジタルカメラ１の分解斜視図である。デジタルカメラ本体２には、レンズユニット３４、ストロボ１０、表示装置２１、等が組み付けられている。この状態から背面操作部および上面操作部の土台となるシャーシ９０が組み付けられ、その上に、背面操作操作部および上面操作部をつかさどるフレキシブル電子回路基板９１が組み付けられる。フレキシブル電子回路基板９１上に、中央自己復帰構造の回転式スイッチ９５が実装されている。上面操作部および上面外装カバーを構成するトップカバーユニット７０を組み付ける。左右の側面外装カバーを構成するサイドカバーユニット８０、８１を組み付ける。
【００２１】
最後に、前面外装カバーを構成するフロントカバーユニット５０、および、背面外装カバーを構成するリアカバーユニット６０を組み付けると、デジタルカメラ１が完成される。回転式スイッチ９５は、中央自己復帰の構造をしているので、リアカバーユニット６０に配置されているスライドレバー１００は、中央位置にしておくことによって、組み付け時にスイッチ９５を破壊することなく組み付けることが可能である。
【００２２】
図３を用いて、スライドレバー１００の周辺の構成について説明する。図３（ａ）は、リアカバーユニット６０におけるスライドレバー１００周囲の分解斜視図である。リアカバーユニット６０にカバー部材４１が接着固定されている状態で、スライドレバー１００を組み付ける。カバー部材４１のボールおよびバネ収納部４２に、ボール１１１とバネ１１２を収納する。ボール１１１は、スライドレバー１００に設けられているクリック凹部１０３ａ、１０３ｂ、１０３ｃのいずれかに収まるように組み付ける。最後に、スライドレバー保持部材１１３を組み付けてリアカバーユニット６０が完成する。
【００２３】
スライドレバー１００には、狭持リブ１０１が２つ設けられており、この挟持リブ１０１の間に、不図示の回転式スイッチ９５の軸９６を挟み込むことによって、上下にスライド操作可能となる。スライドレバー保持部材１１３のガイド穴１１３ａに、スライドレバー１００に設けられているガイドボス１０４を挿通させる。これによって、スライドレバー１００が上下方向にガイドされてスライド可能となる。また、ガイド穴１１３ａの上下の端部は、ストッパーの役目も果たしており、スライドレバー１００の上端および下端の位置規制になっている。ガイド穴１１３ａおよびクリック凹部１０３ａ、１０３ｂ、１０３ｃ、の位置を調整することによって、スライドレバー１００のストロークを調整することが可能となる。
【００２４】
また、カバー部材４１には、フッキングツメ４３が設けられている。フッキングツメ４３は、不図示のトップカバーユニット７０と係合する構造となっている。これによって、リアカバーユニット６０が開いたりしてしまうことを防止している。しかし、落下などの衝撃に対しては強度は十分でなく、リアカバーユニット６０が開いてしまうこともある。リアカバーユニット６０の開いてしまうのを防止するために、スライドレバー１００の挟持リブ１０１に突起１０２が設けられている。詳細の構造については、図４を用いて後述する。
【００２５】
図３（ｂ）（ｃ）（ｄ）は、スライドレバー１００が上下へ移動する状態を示す図である。分かりやすくする為、スライドレバー保持部材１１３は図示しない。また、カメラ本体側に配置されている回転式スイッチ９５を図示する。図３（ｂ）は、スライドレバー１００が上側に位置する場合、図３（ｃ）は、スライドレバー１００が中央に位置する場合、図３（ｄ）は、スライドレバー１００が下側に位置する場合を示す。バネ１１２は、ボール１１１を押し出す方向へ付勢している。つまり、ボール１１１は、スライドレバー１００に押し付けられている。ボール１１１がクリック凹部１０３ａ、１０３ｂ、１０３ｃの間の山を乗り越えるとスライドレバー１００のクリック感が発生することとなる。バネの付勢力、クリック凹部１０３ａ、１０３ｂ、１０３ｃの凹量および傾斜角度を調整することによって、操作感の調整することが可能となる。
【００２６】
本実施例においては、中央のクリック凹部１０３ｂの凹量を大きく、また、傾斜角度を４５度より大きくさせていることによって、中央から上側、中央から下側への操作力を高く設定できている。上側および下側のクリック凹部１０３ａ、１０３ｃの凹量を小さく、また、傾斜角度を４５度より小さくすることによって、上側から中央、下側から中央への操作力を低く設定できている。こうすることによって、操作力の差が発生し中央位置にしっかり止めることが可能なスライドレバー機構となる。すなわち、操作性を改善することが可能となる。
【００２７】
図４を用いて、スライドレバーの突起１０２の役割について詳細を説明する。図４（ａ）は、デジタルカメラ１の背面図で、断面図の位置を示している。図４（ｂ）、（ｃ）、（ｄ）は、その断面図である。図４（ｂ）はスライドレバー１００が上側位置、図４（ｃ）はスライドレバー１００が中央位置、図４（ｄ）はスライドレバー１００が下側位置にいる時を示している。
【００２８】
スライドレバーが上側位置または下側位置の場合、スライドレバー１００の突起１０２は、シャーシ９０の裏側（突起係合部）９０ａに潜り込む状態になる。落下などの衝撃でカバー部材４１が開こうとしても、スライドレバー１００の突起１０２がシャーシの裏側（突起係合部）９０ａに係合し、カバー部材４１が開くのを防止する構造となっている。
【００２９】
また、スライドレバーが中央位置の場合は、落下などの衝撃でカバー部材４１が開こうとすると、スライドレバーの突起１０２は、シャーシの裏側（突起係合部）９０ａに潜り込んでいないため係合せず、カバー部材４１が開く。しかし、回転式スイッチの軸９６が中央自己復帰構造のためカバー部材４１が開いてしまっても、再度、カバー部材４１を閉じれば、元の位置に戻る。モードが意図しない位置に切り替わってしまうことや、回転式スイッチの軸９６を破壊してしまうことは発生しない。
【００３０】
以上より、スライドレバー１００が中央以外の位置において、スライドレバーの突起１０２がシャーシの裏側（突起係合部）９０ａに潜り込むことによって、デザイン性を損なわず、操作性の良い、スライドレバー構造を提供することが可能となる。また、スライドレバー１００が中央位置において、スライドレバーの突起１０２がシャーシの裏側（突起係合部）９０ａに潜り込まないことによって、スイッチの軸９６を破壊してしまうこともなく、組立性の良いスライドレバー構造を提供することが可能となる。
【００３１】
本実施例においては、スライドレバー１００は上下移動する例を示したが、左右移動、斜め移動においても同様の構造をとることによって、同様の効果を得ることが可能である。また、本実施例においては、３ポジションのスライドレバー構造について説明したが、２ポジションのスライドレバーにおいても、中央位置とそれ以外の位置を１つ使用することで、同様の効果を得ることが可能である。
【符号の説明】
【００３２】
４１  カバー部材（スライドレバー近傍）、９０  シャーシ、
９０ａ  シャーシの裏側（突起係合部）、９５  回転式スイッチ（自己中央復帰）、
９６  回転式スイッチの軸、１００  スライドレバー、
１０１  スライドレバーの挟持リブ、１０２  スライドレバーの突起、
１０３ａ〜ｂ  スライドレバーのクリック凹部
【図１】
2015204241.tif 000003
【図２】
2015204241.tif 000004
【図３】
2015204241.tif 000005
【図４】
2015204241.tif 000006
【図５】
2015204241.tif 000007